(57)【要約】      （修正有）【課題】連結した複数の戸を円滑に開くことができる折戸装置を提供する。【解決手段】折戸装置は、複数の戸１０の側端部相互間を接続部２０で屈曲自在に連結し、当該連続する複数の接続部２０における偶数番目の接続部２０を支持する複数の支持部３０がガイドレール内を左右に移動自在に配設され、複数の戸１０を開閉する折戸装置において、支持部３０に支持される複数の接続部２０が左側又は右側の少なくとも一方向から順次屈曲する。【選択図】図１
0003199935.tif 000002
【実用新案登録請求の範囲】
【請求項１】
複数の戸の側端部相互間を接続部で屈曲自在に連結し、当該連続する複数の接続部における偶数番目の接続部を支持する複数の支持部がガイドレール内を左右に移動自在に配設され、前記複数の戸を開閉する折戸装置において、
前記支持部に支持される複数の接続部が左側又は右側の少なくとも一方向から順次屈曲することを特徴とする折戸装置。
【請求項２】
前記請求項１に記載の折戸装置において、
奇数番目の前記複数の接続部が、前記ガイドレールの移動方向の中心線に対して取付位置を順次異ならせて配設したことを特徴とする折戸装置。
【請求項３】
請求項１に記載の折戸装置において、
奇数番目の前記複数の接続部が、左側又は右側の少なくとも一方が屈曲抵抗を順次異ならせる弾性力の異なる弾性部を装着して形成されることを特徴とする折戸装置。
【考案の詳細な説明】
【技術分野】
【０００１】
本考案は、折戸装置に関する。
【背景技術】
【０００２】
従来の折戸装置は、複数枚の戸を屈曲可能に連結し、ハンガーレールに吊り下げて屏風状に開閉可能とした折戸装置において、戸の連結箇所を一つおきにその上端に吊車を取り付けこの吊車がハンガーレールに係止されて移動可能とするとともに、他の一つおきの戸連結箇所にはそれぞれの戸の任意箇所に対向させて同径の歯車を配し、この歯車を嵌合させてこの連結された戸は連結部を中心として線対称に開閉するようにした（例えば、特許文献１参照）。
【先行技術文献】
【特許文献】
【０００３】
【特許文献１】特開２００６−１１２１４１号公報
【考案の概要】
【考案が解決しようとする課題】
【０００４】
従来の折戸装置は、戸を電動モータにより駆動して開閉するようにしたものであり、装置構成が複雑であり、製造コストが高価になるという課題がある。また、特許文献１には、手動開閉式のものでもよいとの記載があるが、多数の戸を連結した場合に、それらがスムーズに開閉できるかは不明である。
【０００５】
この考案は、上述のような課題を解決するためになされたもので、連結した複数の戸を円滑に開くことができる折戸装置を提供することを目的とする。
【課題を解決するための手段】
【０００６】
この考案に係る折戸装置は、複数の戸の側端部相互間を接続部で屈曲自在に連結し、当該連続する複数の接続部における偶数番目の接続部を支持する複数の支持部がガイドレール内を左右に移動自在に配設され、複数の戸を開閉する折戸装置において、支持部に支持される複数の接続部が左側又は右側の少なくとも一方向から順次屈曲する。
【考案の効果】
【０００７】
この考案に係る折戸装置においては、支持部に支持される複数の接続部が左側又は右側の少なくとも一方向から順次屈曲することにより、連結した複数の戸を円滑に開くことができる。
【図面の簡単な説明】
【０００８】
【図１】（ａ）は本実施形態に係る折戸装置の概略構成を示す平面図であり、（ｂ）は図１（ａ）に示す折戸装置の正面図であり、（ｃ）は図１（ａ）に示す折戸装置の底面図であり、（ｄ）は図１（ａ）に示す折戸装置の右端近傍の部分拡大図である。
【図２】折戸装置の基準軸芯に対する接続部の変位を説明するための説明図であり、（ａ）は第４接続部から左端側の折戸装置の平面図であり、（ｂ）は第４接続部から右端側の折戸装置の平面図である。
【図３】（ａ）は接続部の概略構成を示す正面図であり、（ｂ）は図３（ａ）に示す接続部の平面図であり、（ｃ）は図３（ａ）に示す接続部の底面図である。
【図４】（ａ）は中間上部倣い軸の概略構成を示す部分断面図であり、（ｂ）は図４（ａ）に示す中間上部倣い軸をガイドレールの長手方向からみた部分断面図であり、（ｃ）は中間下部スライダー軸の概略構成を示す部分断面図である。
【図５】（ａ）は両端上部吊車の概略構成を示す部分断面図であり、（ｂ）は両端下部スライダー軸４２の概略構成を示す部分断面図である。
【図６】（ａ）は図１（ａ）に示す折戸装置の全ての戸が閉じた状態を示す平面図であり、（ｂ）は図１（ａ）に示す折戸装置の第１戸及び第２戸を折り畳んだ状態を示す平面図であり、（ｃ）は図１（ａ）に示す折戸装置の全ての戸を折り畳んだ状態を示す平面図である。
【考案を実施するための形態】
【０００９】
（本考案の第１の実施形態)
折戸装置１００は、図１及び図２に示すように、複数の戸１０の側端部の相互間を接続部２０で屈曲自在に連結し、当該連続する複数の接続部２０における偶数番目の接続部２０を支持する複数の支持部３０がガイドレール１０１内を左右に移動自在に配設され、複数の戸１０を開閉する。
なお、本実施形態に係る戸１０は、障子を用いており、この場合に、折戸装置１００は障子カーテンとなる。
【００１０】
本実施形態に係る接続部２０は、図３に示すように、角部に歯車２１ａを有する一対の板状の基材２１と、各歯車２１ａの中心に配設される軸芯２１ｂを介して一対の基材２１間を連結する連結板２２と、を備える。なお、一対の基材２１の各歯車２１ａは、同径及び同ピッチであり、互いに歯合する。
【００１１】
また、各基材２１は、軸芯２１ｂと共に直線上に列設される２つのねじ孔２１ｃを備え、図４（ａ）及び図４（ｃ）に示すように、ねじ孔２１ｃに螺合するねじ２３（例えば、ユニクロビス）を介して、隣り合う戸１０の上框材の上面及び下框材の下面にそれぞれ固定される。これにより、隣り合う戸１０の一方の戸１０を回動させると、他方の戸１０も線対称に回動することになる。
【００１２】
本実施形態に係る支持部３０は、図１（ａ）及び図１（ｃ）に示すように、複数の接続部２０（折戸装置１００の両端を除く）のうち一端側から数えて偶数番目の接続部２０に配設され、上側のガイドレール１０１（以下、上レール１０１ａと称す）内を移動する中間上部倣い軸３１と、下側のガイドレール（以下、下レール１０１ｂと称す）内を移動する中間下部スライダー軸３２とを備える。
【００１３】
中間上部倣い軸３１は、図３に示す接続部２０の一方の基材２１の軸芯２１ｂにねじ切り加工されたねじ孔２１ｄに螺合するねじ山を下端に有する柱状体であり、例えば、図４（ａ）及び図４（ｂ）に示すように、ナベ頭小ねじ３１ａ、ポリスライダー平座金３１ｂ、シュル形針状ころ軸受３１ｃ、アルミ丸パイプ３１ｄ、六角ナット３種３１ｅ及び内歯ワッシャ３１ｆを備える。
【００１４】
中間下部スライダー軸３２は、図３に示す接続部２０の一方の基材２１の軸芯２１ｂにねじ切り加工されたねじ孔２１ｄに螺合するねじ山を上端に有する部材であり、例えば、図４（ｃ）に示すように、ロールピン３２ａ、ねじ切り加工されたアルミ丸パイプ３２ｂ、圧縮コイルばね３２ｃ及び下部スライダー３２ｄを備える。
なお、中間下部スライダー軸３２は、圧縮コイルばね３２ｃにより、上下動させることができ、中間上部倣い軸３１及び中間下部スライダー軸３２をガイドレール１０１（上レール１０１ａ、下レール１０１ｂ）内に容易に設置することができる。
【００１５】
また、中間上部倣い軸３１及び中間下部スライダー軸３２は、図１（ａ）及び図１（ｃ）に示すように、共通の隣り合う戸１０間を接続する上下で対向する接続部２０におけるねじ孔２１ｄのうち、中間上部倣い軸３１の中心軸と中間下部スライダー軸３２の中心軸とが一致する側のねじ孔２１ｄに螺合される。
【００１６】
また、折戸装置１００の両端は、図１に示すように、接続部２０が存在しないのであるが、上レール１０１ａ内を移動する両端上部吊車４１と下レール１０１ｂ内を移動する両端下部スライダー軸４２とを固定するために、ねじ孔４０ａを有する基部４０が配設される。
【００１７】
両端上部吊車４１は、図５（ａ）に示すように、上レール１０１ａ内を回転して移動する車輪４１ａを有する。
両端下部スライダー軸４２は、基部４０のねじ孔４０ａに螺合するねじ山を上端に有する部材であり、例えば、図５（ｂ）に示すように、鬼目ナット４２ａ、ロールピン４２ｂ、圧縮コイルばね４２ｃ及び下部スライダー４２ｄを備える。
なお、両端下部スライダー軸４２は、圧縮コイルばね４２ｃにより、上下動させることができ、両端上部吊車４１及び両端下部スライダー軸４２をガイドレール１０１（上レール１０１ａ、下レール１０１ｂ）内に容易に設置することができる。
【００１８】
また、折戸装置１００は、図２に示すように、複数の戸１０が閉じた状態において、両端上部吊車４１（両端下部スライダー軸４２）の軸芯及び中間上部倣い軸３１（中間下部スライダー軸３２）の軸芯が、上レール１０１ａ（下レール１０１ｂ）上の同一直線（基準軸芯Ｏ）上にある。
【００１９】
なお、以下の説明においては、図２及び図６の左端の戸１０から右端の戸１０にかけて順番に、第１戸１０ａ、第２戸１０ｂ、第３戸１０ｃ、第４戸１０ｄ、第５戸１０ｅ、第６戸１０ｆ、第７戸１０ｇ、第８戸１０ｈと称して説明する。
また、以下の説明においては、図２及び図６の左端の接続部２０から右端の接続部２０にかけて順番に、第１接続部２０ａ、第２接続部２０ｂ、第３接続部２０ｃ、第４接続部２０ｄ、第５接続部２０ｅ、第６接続部２０ｆ、第７接続部２０ｇと称して説明する。
【００２０】
特に、本実施形態に係る折戸装置１００は、奇数番目の複数の接続部２０（第１接続部２０ａ、第３接続部２０ｃ、第５接続部２０ｅ、第７接続部２０ｇ）が、ガイドレール１０１の移動方向の中心線（基準軸芯Ｏ）に対して取付位置を順次異ならせて配設している。
具体的には、本実施形態に係る折戸装置１００は、図２に示すように、中間上部倣い軸３１（中間下部スライダー軸３２）が存在しない奇数番目の接続部２０（第１接続部２０ａ、第３接続部２０ｃ、第５接続部２０ｅ、第７接続部２０ｇ）におけるねじ孔２１ｃの中心及びねじ孔２１ｄの中心を結ぶ開閉軸芯Ｏ１，Ｏ２，Ｏ３，Ｏ４の位置が、接続部２０毎に間隔ｄ１，ｄ２，ｄ３，ｄ４（ｄ１＞ｄ２＞ｄ３＞ｄ４）で段階的にシフトしている。
【００２１】
このように、本実施形態に係る折戸装置１００は、奇数番目の複数の接続部２０が、ガイドレール１０１の移動方向の中心線に対して取付位置を順次異ならせて配設していることにより、左側又は右側の少なくとも一方から接続部２０の屈曲抵抗を順次異ならせ、左側又は右側の少なくとも一方向から接続部２０を順次屈曲させることができ、折戸装置１００の中間位置にある接続部２０から屈曲することを抑制し、戸１０の開放を円滑に行うことができる。
【００２２】
つぎに、本実施形態に係る折戸装置１００の戸１０の開放動作について、図２及び図６を用いて説明する。
また、以下の説明においては、第１戸１０ａ側から第８戸１０ｈの方向に第１戸１０ａをスライドし、戸１０を開く場合について説明する。
【００２３】
折戸装置１００の使用者は、第１戸１０ａを折り畳む方向（第８戸１０ｈの方向）に移動させる。この場合に、奇数番目の複数の接続部２０をガイドレール１０１の移動方向の中心線に対して取付位置を順次異ならせて（接続部２０の屈曲抵抗を順次高く）配設することにより、第２接続部２０ｂ〜第７接続部２０ｇが屈曲する前に、第１接続部２０ａが屈曲することになる。
【００２４】
第１戸１０ａが移動すると、第１戸１０ａの左端に配設された両端上部吊車４１及び両端下部スライダー軸４２がガイドレール１０１（上レール１０１ａ、下レール１０１ｂ）内を移動する。
また、第１戸１０ａが移動することにより、第２戸１０ｂも第１接続部２０ａを中心として第１戸１０ａと線対称に移動し、図６（ｂ）に示すように、第１戸１０ａと第２戸１０ｂは折り畳まれることになる。なお、第３戸１０ｃ〜第８戸１０ｈは、奇数番目の接続部２０の屈曲抵抗の違いにより、図６（ｂ）に示すように、隣り合う戸１０のなす角が順次大きくなる。
【００２５】
そして、折戸装置１００の使用者は、第１戸１０ａ（第２戸１０ｂ）を折り畳む方向（第８戸１０ｈの方向）に移動させる。この場合に、奇数番目の複数の接続部２０をガイドレール１０１の移動方向の中心線に対して取付位置を順次異ならせて（屈曲抵抗を順次高く）配設することにより、第３接続部２０ｃ〜第７接続部２０ｇが完全に屈曲する前に、第２接続部２０ｂが完全に屈曲することになる。
第１戸１０ａ（第２戸１０ｂ）が移動すると、第１戸１０ａの左端に配設された両端上部吊車４１及び両端下部スライダー軸４２と第２戸１０ｂの右端に配設された中間上部倣い軸３１及び中間下部スライダー軸３２がガイドレール１０１（上レール１０１ａ、下レール１０１ｂ）内を移動する。なお、第４戸１０ｄ〜第８戸１０ｈは、奇数番目の接続部２０の屈曲抵抗の違いにより、隣り合う戸１０のなす角が順次大きくなる。
また、第２戸１０ｂが移動することにより、第３戸１０ｃも第２接続部２０ｂを中心として第２戸１０ｂと線対称に移動し、第２戸１０ｂと第３戸１０ｃは折り畳まれることになる。
【００２６】
以下同様に、折戸装置１００の使用者は、第１戸１０ａ（第２戸１０ｂ、第３戸１０ｃ、第４戸１０ｄ、第５戸１０ｅ、第６戸１０ｆ、第７戸１０ｇ）を折り畳む方向（第８戸１０ｈの方向）に移動させることにより、図６（ｃ）に示すように、第１戸１０ａ〜第８戸１０ｈを折り畳むことができる。
【００２７】
以上のように、本実施形態に係る折戸装置１００は、奇数番目の複数の接続部２０が、ガイドレール１０１の移動方向の中心線に対して取付位置を順次異ならせて配設していることにより、左側又は右側の少なくとも一方向から順次屈曲させることができ、折戸装置１００の中間位置にある接続部２０から屈曲することを抑制し、戸１０の開放を円滑に行うことができる。
【００２８】
なお、本実施形態に係る折戸装置１００は、左側又は右側の少なくとも一方向から順次屈曲させるのであれば、奇数番目の複数の接続部２０がガイドレール１０１の移動方向の中心線に対して取付位置を順次異ならせて配設することに限られるものではない。
例えば、折戸装置１００は、奇数番目の複数の接続部２０が、左側若しくは右側の少なくとも一方が屈曲抵抗を順次異ならせる弾性力の異なる弾性部を装着して形成されてもよい。
この場合に、弾性部は、例えば、接続部２０の一対の基材２１の各軸芯２１ｂを跨るねじりコイルばね等のばね部材を用いることが考えられる。
【符号の説明】
【００２９】
１０    戸
２０    接続部
２１    基材
２１ａ  歯車
２１ｂ  軸芯
２１ｃ，２１ｄ  ねじ孔
２２    連結板
２３    ねじ
３０    支持部
３１    中間上部倣い軸
３１ａ  ナベ頭小ねじ
３１ｂ  ポリスライダー平座金
３１ｃ  シュル形針状ころ軸受
３１ｄ  アルミ丸パイプ
３１ｅ  六角ナット３種
３１ｆ  内歯ワッシャ
３２    中間下部スライダー軸
３２ａ  ロールピン
３２ｂ  アルミ丸パイプ
３２ｃ  圧縮コイルばね
３２ｄ  下部スライダー
４０    基部
４０ａ  ねじ孔
４１    両端上部吊車
４２    両端下部スライダー軸
１００  折戸装置
１０１  ガイドレール
１０１ａ  上レール
１０１ｂ  下レール
【図１】
0003199935.tif 000003
【図２】
0003199935.tif 000004
【図３】
0003199935.tif 000005
【図４】
0003199935.tif 000006
【図５】
0003199935.tif 000007
【図６】
0003199935.tif 000008